(57)【要約】【課題】  データが印刷された印刷媒体が貼付対象物体に貼付されたときの状況を予めディスプレイ上で確認する際に、より自然な仕上がり状況にすることができるデータ描画装置及び、プログラム、記録媒体を提供すること。【解決手段】  物体の外観イメージデータ及び、テープが貼付される領域の位置・大きさに関する情報、文字・画像データ、選択されたテープの幅に基づいて、「３ｃｍファイル背」のイメージ１０１及び、「議事録」というデータ内容、テープ１０５の輪郭を同じ倍率で描画し、このとき、テープ１０５及びデータ内容を、貼付領域１０２に対して、 左右整列位置情報の「中央」及び上下整列位置情報の「上」をもって描画するので、データ内容が印刷されたテープ１０５が「３ｃｍファイル背」に貼付されたときの状況を、予め確認する際に、より自然な仕上がり状況にすることができる。【選択図】  図１
2005056298.tif 000002
【特許請求の範囲】
【請求項１】
印刷媒体の複数のサイズデータが記憶されたサイズデータ記憶手段と、
前記サイズデータ記憶手段に記憶された各サイズデータから１つのサイズデータを決定するサイズデータ決定手段と、
前記印刷媒体が貼付される貼付対象物体の外観についてのイメージデータを記憶するイメージデータ記憶手段と、
前記貼付対象物体における前記印刷媒体の貼付領域の大きさ・位置についてのエリアデータを記憶するエリアデータ記憶手段と、
前記貼付対象物体における前記印刷媒体の貼付バランスが考慮された配置データを記憶する配置データ記憶手段と、
前記印刷媒体上の印刷内容についての描画データを記憶する描画データ記憶手段と、
前記イメージデータ及び、前記エリアデータ、前記描画データ、前記サイズデータ決定手段により決定されたサイズデータに基づいて、前記貼付対象物体の外観及び、前記印刷内容、当該サイズデータに対応する印刷媒体の輪郭を同じ倍率で描画するとともに、前記配置データに基づいて、当該印刷媒体の輪郭及び前記印刷内容を所定位置に描画する描画制御手段と、を備えたこと、を特徴とするデータ描画装置。
【請求項２】
印刷媒体の複数のサイズデータが記憶されたサイズデータ記憶手段と、
前記サイズデータ記憶手段に記憶された各サイズデータから１つのサイズデータを決定するサイズデータ決定手段と、
前記印刷媒体が貼付される貼付対象物体の外観についてのイメージデータを記憶するイメージデータ記憶手段と、
前記貼付対象物体における前記印刷媒体の貼付領域の大きさ・位置について複数のエリアデータを記憶するエリアデータ記憶手段と、
前記エリアデータ記憶手段に記憶された各エリアデータから１つのエリアデータを指定するエリアデータ指定手段と、
前記貼付対象物体における前記印刷媒体の貼付バランスが考慮され各エリアデータのそれぞれに対応した複数の配置データを記憶する配置データ記憶手段と、
前記印刷媒体上の印刷内容についての描画データを記憶する描画データ記憶手段と、
前記イメージデータ及び、前記エリアデータ指定手段により指定されたエリアデータ、前記サイズデータ決定手段により決定されたサイズデータに基づいて、前記貼付対象物体の外観及び、前記印刷内容、当該サイズデータに対応する印刷媒体の輪郭を同じ倍率で描画するとともに、当該エリアデータに対応する配置データに基づいて、当該印刷媒体の輪郭及び前記印刷内容を所定位置に描画する描画制御手段と、を備えたこと、を特徴とするデータ描画装置。
【請求項３】
印刷媒体の複数のサイズデータが記憶されたサイズデータ記憶手段と、
前記サイズデータ記憶手段に記憶された各サイズデータから１つのサイズデータを決定するサイズデータ決定手段と、
前記印刷媒体が貼付される貼付対象物体の外観についての複数のイメージデータを記憶するイメージデータ記憶手段と、
前記イメージデータ記憶手段に記憶された各イメージデータから１つのイメージデータを指定するイメージデータ指定手段と、
前記貼付対象物体における前記印刷媒体の貼付領域の大きさ・位置について各イメージデータのそれぞれに対応した複数のエリアデータを記憶するエリアデータ記憶手段と、
前記貼付対象物体における前記印刷媒体の貼付バランスが考慮された配置データを記憶する配置データ記憶手段と、
前記印刷媒体上の印刷内容についての描画データを記憶する描画データ記憶手段と、
前記イメージデータ指定手段により指定されたイメージデータ及び、当該イメージデータに対応するエリアデータ、前記描画データ、前記サイズデータ決定手段により決定されたサイズデータに基づいて、前記貼付対象物体の外観及び、前記描画データ、当該サイズデータに対応する印刷媒体の輪郭を同じ倍率で描画するとともに、前記配置データに基づいて、当該印刷媒体の輪郭及び前記印刷内容を所定位置に描画する描画制御手段と、を備えたこと、を特徴とするデータ描画装置。
【請求項４】
請求項３に記載するデータ描画装置であって、
前記複数のイメージデータには、同一の貼付対象物体の外観について向きが異なるものが含まれていること、を特徴とするデータ描画装置。
【請求項５】
請求項４に記載するデータ描画装置であって、
前記同一の貼付対象物体の向きが異なる外観について、各々の向き毎にイメージデータを持つこと、を特徴とするデータ描画装置。
【請求項６】
請求項４に記載するデータ描画装置であって、
前記描画制御手段は、前記同一の貼付対象物体の向きが異なる外観を描画する際、同じイメージデータの向きを変えて描画すること、を特徴とするデータ描画装置。
【請求項７】
請求項１乃至請求項６のいずれか一つに記載されたデータ描画装置であって、
前記サイズデータ決定手段により決定されたサイズデータを変更するためのサイズデータ変更手段を備えたこと、を特徴とするデータ描画装置。
【請求項８】
請求項１乃至請求項７のいずれか一つに記載されたデータ描画装置をコンピュータで実行させること、を特徴とするプログラム。
【請求項９】
請求項８に記載されたプログラムを前記コンピュータで読取可能に記憶したこと、を特徴とする記録媒体。
【発明の詳細な説明】
【技術分野】
【０００１】
本発明は、データが印刷された印刷媒体が貼付対象物体に貼付されたときの状況を予めディスプレイ上で確認することができるデータ描画装置及び、プログラム、記録媒体に関するものである。
【背景技術】
【０００２】
本出願人は、下記の特許文献１において、印刷媒体に印刷されるテキストや画像の大きさを含む印刷レイアウトが用紙の貼付される特定の物体に関して適当であるのかが、印刷済みの印刷媒体を実際に貼付対象物体に貼付しなくとも確認することができるデータ描画装置及び記録媒体を提案している。
【特許文献１】特開２００２−１４７９９号公報
【発明の開示】
【発明が解決しようとする課題】
【０００３】
この点、上記の特許文献１では、貼付対象物体として、システム手帳とフロッピー（登録商標）ディスクしか開示されていないが、例えば、図１４に示すように、貼付対象物体を「３ｃｍファイル背」を想定した場合には、ディスプレイ上において、「３ｃｍファイル背」のイメージ１０１と貼付領域１０２とが描画されることになる。ここで、貼付領域１０２と同じ幅を持ったテープを選択して「議事録」を印刷しようとする場合に、テープの輪郭をも描画しようとしたときは、図１５に示すように、「議事録」と書かれたテープ１０３が貼付領域１０２に左上揃えで重なり合ってディスプレイ上に表示されることになる。
【０００４】
従って、図１５に示すように、貼付領域１０２の幅に比較的近い幅のテープ１０３を選択している場合、違和感が有るもののその度合いは少ないが、貼付領域１０２の約半分の幅を持ったテープを選択して「議事録」を印刷しようとする場合に、テープの輪郭をも描画しようとしたときは、図１６に示すように、「議事録」と書かれたテープ１０４が貼付領域１０２に左上揃えでディスプレイ上に表示されることになり、「３ｃｍファイル背」の背表紙としては違和感が大きい。
【０００５】
そこで、本発明は、上述した点を鑑みてなされたものであり、データが印刷された印刷媒体が貼付対象物体に貼付されたときの状況を予めディスプレイ上で確認する際に、より自然な仕上がり状況にすることができるデータ描画装置及び、プログラム、記録媒体を提供することを課題とする。
【課題を解決するための手段】
【０００６】
この課題を解決するために成された請求項１に係る発明は、データ描画装置であって、印刷媒体の複数のサイズデータが記憶されたサイズデータ記憶手段と、前記サイズデータ記憶手段に記憶された各サイズデータから１つのサイズデータを決定するサイズデータ決定手段と、前記印刷媒体が貼付される貼付対象物体の外観についてのイメージデータを記憶するイメージデータ記憶手段と、前記貼付対象物体における前記印刷媒体の貼付領域の大きさ・位置についてのエリアデータを記憶するエリアデータ記憶手段と、前記貼付対象物体における前記印刷媒体の貼付バランスが考慮された配置データを記憶する配置データ記憶手段と、前記印刷媒体上の印刷内容についての描画データを記憶する描画データ記憶手段と、前記イメージデータ及び、前記エリアデータ、前記描画データ、前記サイズデータ決定手段により決定されたサイズデータに基づいて、前記貼付対象物体の外観及び、前記印刷内容、当該サイズデータに対応する印刷媒体の輪郭を同じ倍率で描画するとともに、前記配置データに基づいて、当該印刷媒体の輪郭及び前記印刷内容を所定位置に描画する描画制御手段と、を備えたこと、を特徴としている。
【０００７】
また、請求項２に係る発明は、データ描画装置であって、印刷媒体の複数のサイズデータが記憶されたサイズデータ記憶手段と、前記サイズデータ記憶手段に記憶された各サイズデータから１つのサイズデータを決定するサイズデータ決定手段と、前記印刷媒体が貼付される貼付対象物体の外観についてのイメージデータを記憶するイメージデータ記憶手段と、前記貼付対象物体における前記印刷媒体の貼付領域の大きさ・位置について複数のエリアデータを記憶するエリアデータ記憶手段と、前記エリアデータ記憶手段に記憶された各エリアデータから１つのエリアデータを指定するエリアデータ指定手段と、前記貼付対象物体における前記印刷媒体の貼付バランスが考慮され各エリアデータのそれぞれに対応した複数の配置データを記憶する配置データ記憶手段と、前記印刷媒体上の印刷内容についての描画データを記憶する描画データ記憶手段と、前記イメージデータ及び、前記エリアデータ指定手段により指定されたエリアデータ、前記サイズデータ決定手段により決定されたサイズデータに基づいて、前記貼付対象物体の外観及び、前記印刷内容、当該サイズデータに対応する印刷媒体の輪郭を同じ倍率で描画するとともに、当該エリアデータに対応する配置データに基づいて、当該印刷媒体の輪郭及び前記印刷内容を所定位置に描画する描画制御手段と、を備えたこと、を特徴としている。
【０００８】
また、請求項３に係る発明は、データ描画装置であって、印刷媒体の複数のサイズデータが記憶されたサイズデータ記憶手段と、前記サイズデータ記憶手段に記憶された各サイズデータから１つのサイズデータを決定するサイズデータ決定手段と、前記印刷媒体が貼付される貼付対象物体の外観についての複数のイメージデータを記憶するイメージデータ記憶手段と、前記イメージデータ記憶手段に記憶された各イメージデータから１つのイメージデータを指定するイメージデータ指定手段と、前記貼付対象物体における前記印刷媒体の貼付領域の大きさ・位置について各イメージデータのそれぞれに対応した複数のエリアデータを記憶するエリアデータ記憶手段と、前記貼付対象物体における前記印刷媒体の貼付バランスが考慮された配置データを記憶する配置データ記憶手段と、前記印刷媒体上の印刷内容についての描画データを記憶する描画データ記憶手段と、前記イメージデータ指定手段により指定されたイメージデータ及び、当該イメージデータに対応するエリアデータ、前記描画データ、前記サイズデータ決定手段により決定されたサイズデータに基づいて、前記貼付対象物体の外観及び、前記描画データ、当該サイズデータに対応する印刷媒体の輪郭を同じ倍率で描画するとともに、前記配置データに基づいて、当該印刷媒体の輪郭及び前記印刷内容を所定位置に描画する描画制御手段と、を備えたこと、を特徴としている。
【０００９】
また、請求項４に係る発明は、請求項３に記載するデータ描画装置であって、前記複数のイメージデータには、同一の貼付対象物体の外観について向きが異なるものが含まれていること、を特徴としている。
【００１０】
また、請求項５に係る発明は、請求項４に記載するデータ描画装置であって、前記同一の貼付対象物体の向きが異なる外観について、各々の向き毎にイメージデータを持つこと、を特徴としている。
【００１１】
また、請求項６に係る発明は、請求項４に記載するデータ描画装置であって、前記描画制御手段は、前記同一の貼付対象物体の向きが異なる外観を描画する際、同じイメージデータの向きを変えて描画すること、を特徴としている。
【００１２】
また、請求項７に係る発明は、請求項１乃至請求項６のいずれか一つに記載されたデータ描画装置であって、前記サイズデータ決定手段により決定されたサイズデータを変更するためのサイズデータ変更手段を備えたこと、を特徴としている。
【００１３】
また、請求項８に係る発明は、プログラムであって、請求項１乃至請求項７のいずれか一つに記載されたデータ描画装置をコンピュータで実行させること、を特徴としている。
【００１４】
また、請求項９に係る発明は、記録媒体であって、請求項８に記載されたプログラムを前記コンピュータで読取可能に記憶したこと、を特徴としている。
【発明の効果】
【００１５】
すなわち、本発明のデータ描画装置及び、プログラム、記録媒体では、イメージデータ及び、エリアデータ、描画データ、サイズデータ決定手段により決定されたサイズデータに基づいて、貼付対象物体の外観及び、印刷内容、当該サイズデータに対応する印刷媒体の輪郭を同じ倍率で描画するとともに、貼付対象物体における印刷媒体の貼付バランスが考慮された配置データに基づいて、当該印刷媒体の輪郭及び印刷内容を所定位置に描画するので、印刷内容が印刷された印刷媒体が貼付対象物体に貼付されたときの状況を、予めディスプレイ上で確認する際に、より自然な仕上がり状況にすることができる。
【００１６】
ここで、エリアデータ記憶手段に複数のエリアデータが記憶されている場合には、配置データ記憶手段に記憶されている複数の配置データは各エリアデータのそれぞれに対応したものであり、描画制御手段は、エリアデータ指定手段により指定されたエリアデータに対応した配置データに基づいて、当該印刷媒体の輪郭及び印刷内容を所定位置に描画するので、貼付対象物体における印刷媒体の貼付領域の大きさ・位置が複数存在するときでも、印刷内容が印刷された印刷媒体が貼付対象物体に貼付されたときの状況を、各貼付領域に適したものにすることができる。
【００１７】
また、イメージデータ記憶手段に複数のイメージデータが記憶されている場合には、配置データ記憶手段に記憶されている複数の配置データは各イメージデータのそれぞれに対応したものであり、描画制御手段は、イメージデータ指定手段により指定されたイメージデータに対応した配置データに基づいて、当該印刷媒体の輪郭及び印刷内容を所定位置に描画するので、貼付対象物体の外観が複数存在するときでも、印刷内容が印刷された印刷媒体が貼付対象物体に貼付されたときの状況を、各貼付対象物体の外観に適したものにすることができる。
【００１８】
また、貼付対象物体によっては、向きにより外観が異なる場合があるが、向き毎にイメージデータを持つことにより、貼付対象物体の外観の向きに適した描画を行うことができる。
【００１９】
また、貼付対象物体によっては、異なる向きであっても外観が変わらない場合があるが、この場合、同じイメージデータの向きを変えて描画することにより、記憶するイメージデータの数を減らすことができる。
【００２０】
また、複数のイメージデータにおいて、同一の貼付対象物体の外観について向きが異なるものが含まれている場合には、印刷内容が印刷された印刷媒体が貼付対象物体に貼付されたときの状況を、当該貼付対象物体の外観の向きに適したものにすることができる。
【００２１】
また、サイズデータ決定手段により決定されたサイズデータを変更するためのサイズデータ変更手段を備えている場合には、描画制御手段は、サイズデータ変更手段により変更されたサイズデータに基づいて、当該印刷媒体の輪郭及び印刷内容を所定位置に描画するので、印刷媒体のサイズが変更されたときでも、印刷内容が印刷された印刷媒体が貼付対象物体に貼付されたときの状況を、印刷媒体の各サイズに適したものにすることができる。
【発明を実施するための最良の形態】
【００２２】
以下、本発明の実施の形態を図面を参照にして説明する。図２は、本実施の形態のデータ描画装置が具現化されたパソコン及びこれに接続されたテープ印刷装置の概略図である。図２に示すパソコン１は、本体部１０及びこれに接続されたディスプレイ１１とキーボード１２とマウス１３とを有しており、ケーブル１４を介してテープ印刷装置２と接続されている。また、パソコン１の本体部１０内には、ＣＰＵ、ＲＯＭ、ＲＡＭ、ハードディスク、ＦＤドライブ、ＣＤ−ＲＯＭドライブなどの各種装置が配置されている。尚、パソコン１は、モデムなどの通信装置或いはＬＡＮなどを介してインターネットに接続可能であってもよい。従って、以下に述べるパソコン１の機能は、パソコン１の本体部１０内のＲＯＭなどに記憶されたプログラムによって実行されてもよいし、ＦＤドライブで読み取られるフロッピー（登録商標）ディスクに記憶されたプログラムによって実行されてもよいし、外部から送信されたプログラムによって実行されてもよい。
【００２３】
また、本実施の形態において、ハードディスクには、例えば、マイクロソフトウインドウズ（商品名）などのＯＳ（オペレーティングシステム）に加えて、ブラウザやワープロなどの各種汎用アプリケーションソフトウェア及びテープ印刷装置２による印刷データを編集するための専用エディタソフトウエア（以下、「テープエディタ」という）が格納されている。さらに、ハードディスクには、ブラウザなどのアプリケーションを用いてディスプレイ１１に表示されたデータのうちの選択された任意の部分をテープエディタなどの別のアプリケーションに供給するためのアプリケーションソフトウェア（以下、「アシスタントソフト」という）が記憶されていてもよい。
【００２４】
ブラウザは、ハードディスク、ＦＤ及びＣＤ−ＲＯＭなどに記憶されたテキストデータ及び／又は画像データのほか、インターネット上のＷＷＷサーバからパソコン１に送られたテキストデータ及び／又は画像データをディスプレイ１１に表示することが可能である。この点、テキストデータとは、例えば、ＨＴＬＭ（hypertext markup language）によって表示された文字列データであり、また、画像データとは、ＨＴＭＬ文書内にタグで貼り付けられたＧＩＦ、ＪＰＥＧ、ＢＭＰなどの様々な形式のデータである。
【００２５】
テープエディタは、これに取り込まれたテキストデータや画像データがディスプレイ１１に表示されるように描画制御を行い、これらデータに対して自動編集及び／又はユーザの操作により編集を施した後、テープ印刷装置２に装着されたテープ（用紙）に印刷し、これを所望の位置でカットするためのソフトウエアであり、ユーザは、パソコン１を操作してテープに印刷するデータ内容やカット位置などをディスプレイ１１を見ながら編集することができる。
【００２６】
アシスタントソフトは、いわばポータルアプリケーションとして、ブラウザからのデータの取り込み及びテープエディタへの供給を実現するものであって、比較的小型で軽量のアプリケーションである。そのため、常駐させていても、システムリソースの消費量が少なく、安定動作に寄与する。本実施の形態では、アシスタントソフトのディスプレイの表示領域へのドラッグ＆ドロップ操作、画面キャプチャー操作及びコピー操作のいずれかによって、ブラウザに表示されたデータが自動的にテープエディタに供給されてよい。
【００２７】
また、テープ印刷装置２は、ロール状に巻回された印刷媒体としてのテープ及びインクリボンカセットを内部に収納することが可能であり、インクリボンに担持されたインクをサーマルヘッドでテープの表面に熱転写することで所望の文字や画像を印刷することができるようになっている。テープ及びインクリボンカセットは、カバーオープンボタン１７の押下により、カバー１６が開くことにより所定位置にセット可能となる。また、テープ印刷装置２の筐体表面には、電源スイッチ１８、テープ印刷装置２の種々の状態を点灯、点滅などで表示するＬＥＤ１９、テープ出口２０が設けられている。尚、テープ印刷装置２は、図２のように縦置きではなく、横置きにすることも可能である。
【００２８】
図３は、本実施の形態にしたがった図２のパソコンのブロック図である。パソコン１の本体部１０内には、ＯＳ及びテープエディタなどが組み込まれることによって、図３に示すように、入力制御部２２、描画制御部２３、印刷制御部２４、データ記憶部２５、テープ幅記憶部２６、物体イメージ記憶部２７などが構成されている。これら各部２２〜２７は、ＣＰＵや、ＲＡＭ、ＲＯＭ、ハードディスクなどのハードウエアと、ＯＳ及びテープエディタなどのソフトウエアとの組合せによって実現されている。
【００２９】
この点、入力制御部２２は、キーボード１２や、マウス１３、スキャナ、インターネットを介して接続されたＷＷＷサーバから入力されたデータを、データ記憶部２５に（場合によっては、テープ幅記憶部２６、物体イメージ記憶部２７にも）供給する。所定の物体の中から描画を希望する物体をキーボード１２やマウス１３を介してユーザが選択すると、その内容が入力制御部２２にある指定部（図示せず）に記憶される。
描画制御部２３は、データ記憶部２２及び、テープ幅記憶部２６、物体イメージ記憶部２７からそれぞれデータを受け取って、テープエディタによるディスプレイ１１への描画内容を制御する。
印刷制御部２４は、描画制御部２３からデータを受け取って、テープエディタのデータ内容をテープ印刷装置２に印刷するための制御を行う。
【００３０】
データ記憶部２５は、入力制御部２２から供給されたデータを記憶する。データ記憶部２５に記憶されるデータは、テキスト（ｔｘｔ）やＨＴＬＭなどの文字データであってもよいし、ＪＰＥＧ、ＢＭＰ、ＧＩＦなどの画像データであってもよい。本実施の形態では、ブラウザに表示されたデータがテープエディタに取り込まれることに伴って、当該データがデータ記憶部２５から描画制御部２３に供給される。
【００３１】
テープ幅記憶部２６は、テープ印刷装置２に収納された長尺テープの幅（本実施の形態では、３６ｍｍ、２４ｍｍ、１８ｍｍ、１２ｍｍ、９ｍｍ、６ｍｍの６種類）を記憶する。テープ幅記憶部２６には、使用に係るテープの幅が入力制御部２２を介してキーボード１２から入力されてもよいし、テープ印刷装置２で検出されたテープ幅が自動的に入力されてもよい。テープ幅記憶部２６には、本実施の形態では、６種類のテープ幅が記憶されるが、１〜５種類のテープ幅が記憶されてもよい。尚、印刷媒体として長尺のテープではなく、予め矩形で所定の大きさに切断された用紙が用いられた場合には、幅だけではなく、その用紙の縦横の長さが記憶される。本実施の形態では、テープエディタが起動されているときに必要に応じてテープ幅に関するデータがテープ幅記憶部２６から描画制御部２３に供給される。
【００３２】
物体イメージ記憶部２７は、テープ印刷装置２から排出された印刷及び切断済みテープが貼付される物体の外観を描画するための外観イメージデータ（大きさ、形状、色、質感）を物体毎に記憶している。このような物体としては、例えば、「３ｃｍファイル背」（図９及び図１４参照）や、「フロッピー（登録商標）ディスク」（図１０参照）、「ＶＨＳビデオカセット」（図１１参照）、「ＶＨＳビデオカセット背」（図１３参照）、「ＶＨＳビデオカセット背縦」（図１２参照）などがある。
尚、本実施の形態において、「ＶＨＳビデオカセット背」と「ＶＨＳビデオカセット背縦」とは、向きが異なる同一の物体であるが、その外観イメージデータは、各々物体イメージ記憶部２７に記憶されている。このことにより、外観の向きに適した描画を行うことができる。特に、向きにより外観が異なる物体については、向き毎に外観イメージデータを記憶することにより、より顕著に外観の向きに適した描画を行うことができる。
尚、この「ＶＨＳビデオカセット背」と「ＶＨＳビデオカセット背縦」は、描画の向きが異なるのみであり、外観においては大差なく描画することが可能である。このように、向きにかかわず外観が変わらない物体の場合、外観イメージデータを共通化し、描画の際に向きのみを変更する。このことにより、物体イメージ記憶部２７が記憶する外観イメージデータを減らすことができる。
さらに、物体イメージ記憶部２７には、この各物体に関する外観イメージデータと対応付けて、各物体に貼付されるテープ（用紙）の貼付位置及びサイズに関する情報や、貼付領域内での印刷領域に関する情報等からなる物体テーブルデータが記憶されている。この物体テーブルデータの詳細は、後述する。
尚、外観イメージデータは、テープエディタのハードディスクへのインストールと同時にＣＤ−ＲＯＭなどの記憶媒体から物体イメージ記憶部２７に供給されてもよいし、キーボード１２やＷＷＷサーバから入力制御部２２を介して物体イメージ記憶部２７に供給されてもよい。本実施の形態では、テープエディタが起動されているときに必要に応じて、指定部で指定された物体の外観イメージデータ及びテーブルデータが物体イメージ記憶部２７から描画制御部２３に供給される。
【００３３】
次に、物体イメージ記憶部２７に記憶された物体の物体テーブルデータの具体例について説明する。図４及び、図５、図６は、本実施の形態の描画装置における物体の物体テーブルデータのテーブルを示した図である。尚、図４、図５、図６は、別々のテーブルとして記載されているが、一つのテーブルとして記憶してもよい。図４及び、図５、図６のテーブルに示すように、貼付対象物体の外観としては、「フロッピー（登録商標）ディスク」（図１０参照）、「ＶＨＳビデオカセット」（図１１参照）、「ＶＨＳビデオカセット背」（図１３参照）、「ＶＨＳビデオカセット背縦」（図１２参照）、「３ｃｍファイル背」（図９及び図１４参照）が項目名として記憶されている。そして、各項目に対して、「ＩＤ」や、「全体」、「貼付領域数」、「対となるＩＤ」、「外観イメージデータアドレス」、「貼付領域１」、「貼付領域２」が列挙されている。
【００３４】
この点、「ＩＤ」とは、貼付対象物体の外観を指定するものであり、「フロッピー（登録商標）ディスク」（図１０参照）に対しては「１００」が、「ＶＨＳビデオカセット」（図１１参照）に対しては「１１０」が、「ＶＨＳビデオカセット背」（図１３参照）に対しては「１１１」が、「ＶＨＳビデオカセット背縦」（図１２参照）に対しては「１１２」が、「３ｃｍファイル背」（図９及び図１４参照）に対しては「１２０」が、それぞれ定義されている。
また、「全体」とは、貼付対象物体の外観の大きさを意味し、幅（ＣＸ）と高さ（ＣＹ）をｍｍ単位で定義している。
また、「貼付領域数」とは、テープ（用紙）が貼付される領域の数を意味し、ここでは、「１」又は「２」が定義されている。従って、「フロッピー（登録商標）ディスク」（図１０参照）及び、「ＶＨＳビデオカセット」（図１１参照）、「ＶＨＳビデオカセット背」（図１３参照）、「ＶＨＳビデオカセット背縦」（図１２参照）では、テープ（用紙）が貼付される領域の数が「１」であり、「３ｃｍファイル背」（図９及び図１４参照）では、テープ（用紙）が貼付される領域の数が「２」である。
【００３５】
また、「対となるＩＤ」とは、同一貼付対象物体の向きが変更された関係にある項目を意味し、ここでは、「ＶＨＳビデオカセット背」（図１３参照）と「ＶＨＳビデオカセット背縦」（図１２参照）とが当該関係にある。従って、「ＶＨＳビデオカセット背」（図１３参照）の「対となるＩＤ」には、「ＶＨＳビデオカセット背縦」（図１２参照）を指定する「ＩＤ」の「１１２」が定義されている一方、「ＶＨＳビデオカセット背縦」（図１２参照）の「対となるＩＤ」には、「ＶＨＳビデオカセット背」（図１３参照）を指定する「ＩＤ」の「１１１」が定義されている。
【００３６】
また、「外観イメージデータアドレス」には、物体イメージ記憶部２７において、貼付対象物体の外観を描画するための外観イメージデータが記憶されている場所を示し、各項目と外観イメージデータの先頭アドレスがとが対応付けられている。この先頭アドレスで示される外観イメージデータを読み出すことにより、貼付対象物体の外観を描画することができる。そして、「フロッピー（登録商標）ディスク」（図１０参照）は「アドレス１」、「ＶＨＳビデオカセット」（図１１参照）は「アドレス２」、「ＶＨＳビデオカセット背」（図１３参照）は「アドレス３」、「ＶＨＳビデオカセット背縦」（図１２参照）は「アドレス４」、「３ｃｍファイル背」（図９及び図１４参照）は「アドレス５」が対応付けられている。
このように、本実施の形態では、同一の貼付対象物体である向きが異なるもの、「ＶＨＳビデオカセット背」（図１３参照）と「ＶＨＳビデオカセット背縦」（図１２参照）は、別々の外観イメージデータによって描画されるので、異なるアドレスが対応付けられている。
しかしながら、前述したように、物体イメージ記憶部２７が記憶する外観イメージデータを減らすために、同一の貼付対象物体で向きのみが異なるものにおいて、共通の外観イメージデータを用いる場合には、「外観イメージデータアドレス」に同じアドレスを対応付け、例えば、「ＶＨＳビデオカセット背」（図１３参照）の「外観イメージデータアドレス」には「アドレス３」を、「ＶＨＳビデオカセット背縦」（図１２参照）の「外観イメージデータアドレス」にも「アドレス３」を対応付け、さらに、向きに関するデータを対応付けるデータをテーブルに加える。
【００３７】
また、「貼付領域１」には、テープ（用紙）が貼付される領域の位置・大きさ（矩形領域）が、左（Ｌ）、右（Ｔ）、上（Ｒ）、下（Ｂ）をもってｍｍ単位で定義されるとともに、用紙の向き、左右整列位置、上下整列位置などが定義されている。この点、用紙の向きとは、テープ（用紙）が貼付（使用）される向きを意味し、「縦」又は「横」が定義されている。また、左右整列位置とは、テープ（用紙）が貼付される領域から当該テープ（用紙）がはみ出ない場合での当該テープの貼付位置を左右方向で定義したものであり、ここでは、「中央」又は「左」が定義されている。
【００３８】
また、「貼付領域２」についても同様であり、テープ（用紙）が貼付される領域の位置・大きさ（矩形領域）が、左（Ｌ）、右（Ｔ）、上（Ｒ）、下（Ｂ）をもってｍｍ単位で定義されるとともに、用紙の向き、左右整列位置、上下整列位置などが定義されている。この点、用紙の向きとは、テープ（用紙）が貼付（使用）される向きを意味し、「縦」又は「横」が定義されている。また、左右整列位置とは、テープ（用紙）が貼付される領域から当該テープ（用紙）がはみ出ない場合での当該テープの貼付位置を左右方向で定義したものであり、ここでは、「上」又は「中央」が定義されている。
但し、「貼付領域２」は、「貼付領域数」が「２」の場合にのみ定義されるものであるので、ここでは、「３ｃｍファイル背」（図９及び図１４参照）の項目に対してのみ定義されている。従って、「３ｃｍファイル背」（図９及び図１４参照）の項目においては、「貼付領域１」及び「貼付領域２」を有することになるが、具体的にいうと、図１４の符号１０２が「貼付領域１」に相当し、図９の符号１０６が「貼付領域２」に相当する。
【００３９】
尚、「貼付領域１」における左右整列位置や上下整列位置は、「フロッピー（登録商標）ディスク」（図１０参照）や、「ＶＨＳビデオカセット」（図１１参照）、「ＶＨＳビデオカセット背」（図１３参照）、「ＶＨＳビデオカセット背縦」（図１２参照）、「３ｃｍファイル背」（図１４参照）におけるテープ（用紙）の貼付バランスを考慮して、「中央」、「左」、「上」が定義されている。また、「貼付領域２」における左右整列位置や上下整列位置は、「３ｃｍファイル背」（図９参照）におけるテープ（用紙）の貼付バランスを考慮して、「中央」が定義されている。
【００４０】
次に、本実施の形態のパソコン１によるディスプレイ１１への具体的な表示例を図１及び図９に基づいて説明する。尚、以下で説明するような描画は、図３で説明したように、データ記憶部２５及び、テープ幅記憶部２６、物体イメージ記憶部２７から供給されたデータに基づく描画制御部２３での制御によって実現される。図１では、「３ｃｍファイル背」のイメージ１０１の上に、「議事録」というデータ内容と、当該データ内容が書かれたテープ１０５の輪郭とが描画されている。このとき、「議事録」というデータ内容が書かれたテープ１０５は、「貼付領域１」の位置・大きさを示す貼付領域１０２に対して、用紙の向きの「縦」及び、左右整列位置の「中央」、上下整列位置の「上」をもって描画されている（図５参照）。但し、ここでは、貼付領域１０２はディスプレイ１１上に表示されない。一方、図９では、「３ｃｍファイル背」のイメージ１０１の上に、「議事録」というデータ内容と、当該データ内容が書かれたテープ１０７の輪郭とが描画されている。このとき、「議事録」というデータ内容が書かれたテープ１０７は、「貼付領域２」の位置・大きさを示す貼付領域１０６に対して、用紙の向きの「横」及び、左右整列位置の「中央」、上下整列位置の「上」をもって描画されている（図６参照）。但し、ここでも、貼付領域１０６はディスプレイ１１上に表示されない。
【００４１】
次に、本実施の形態において、図１や図９で説明したような「３ｃｍファイル背」のイメージ１０１の上に、「議事録」というデータ内容と、当該データ内容が書かれたテープ１０５，１０７の輪郭とを描画する手順について説明する。それには、背景を描画する場合、まず、図１７に示すような背景の設定ステップを初期設定として事前に行う。図１７に示すＳ１では、テープエディタの表示画面を見ながらユーザが複数の背景テーマ（貼付対象物体）から所望の背景テーマ（例えば、「３ｃｍファイル背」）を選択する。この選択には、背景テーマの使用および不使用についての選択も含まれるものとする。そして、Ｓ２では、背景テーマを使用するとユーザが設定したかどうかが描画制御部２３で判断される。背景テーマを使用する場合（Ｓ２：ＹＥＳ）、Ｓ３に進む。Ｓ３では、選択された背景テーマの用紙貼付領域矩形情報が物体イメージ記憶部２７から取り出される。そして、Ｓ４に進み、印刷設定に係る用紙（印面）の大きさが、背景テーマの用紙貼付領域矩形情報に合わせて変更される。また、背景テーマを使用しない場合（Ｓ２：ＮＯ）、図１７に示す背景ステップを終了する。
【００４２】
そして、図７のフローチャートに示す背景テーマの変更のプログラムを実行する。先ず、Ｓ１１において、選択された背景テーマのテーブル情報を取得する。具体的には、選択された背景テーマが「３ｃｍファイル背」である場合には、図４及び、図５、図６から、「全体」、「貼付領域数」、「貼付領域１」、「貼付領域２」に関する情報を取得する。ここで、「貼付領域１」及び「貼付領域２」には、上述したように、用紙の向き、左右整列位置、上下整列位置などに関する情報が含まれる（図５と図６参照）。次のＳ１２では、残り貼付領域があるか否かを判断する。尚、以下からは、説明の便宜上、「３ｃｍファイル背」における「貼付領域１」について説明するので、「３ｃｍファイル背」の貼付領域数が「２」であることから、ここでは、残り貼付領域があると判断するものとする（Ｓ１２：ＹＥＳ）。そして、残り貼付領域があると判断した場合には（Ｓ１２：ＹＥＳ）、Ｓ１３に進んで、用紙の向きに関する情報からラベル（テープ（用紙））の向きを決定する。具体的には、「貼付領域１」について実行する場合には、ラベル（テープ（用紙））の向きを「縦」に決定する（図５参照）。
【００４３】
そして、Ｓ１４において、ここでは、「貼付領域１」に関する情報を取得する。また、Ｓ１５において、現在のプリンタドライバで設定可能な全てのラベル（テープ（用紙））の幅のリストを取得する。具体的には、ここでは、テープ幅記憶部２６から、３６ｍｍ、２４ｍｍ、１８ｍｍ、１２ｍｍ、９ｍｍ、６ｍｍの６種類が記憶されたリストを取得する。次に、Ｓ１６において、当該ラベル（テープ（用紙））の幅のリスト（一覧）から、「貼付領域１」に一番最適なラベル（テープ（用紙））の幅を選択する。具体的には、「貼付領域１」に関する情報から、「貼付領域１」の左右幅が２９．８（＝４６．１−１６．３）ｍｍであるので、３６ｍｍ以外の幅を持つラベル（テープ（用紙））が選択され得る。また、Ｓ１６においては、ラベル（テープ（用紙））の長さが「貼付領域１」に関する情報から決定される。具体的には、「貼付領域１」の上下長が２１８．９（＝２７０．２−５１．３）ｍｍであるので、ラベル（テープ（用紙））の長さが２１８．９ｍｍに決定される。
【００４４】
次に、Ｓ１７において、ラベル（テープ（用紙））が貼付領域からはみ出るか否かを判断する。ここでは、上述したＳ１６において、「貼付領域１」の左右幅である２９．８（＝４６．１−１６．３）ｍｍ未満のラベル（テープ（用紙））の幅を選択しているので、ラベル（テープ（用紙））が貼付領域からはみ出ないと判断され（Ｓ１７：ＮＯ）、Ｓ１９に進んで、「貼付領域１」における左右整列位置と上下整列位置に関する情報より、「貼付領域１」におけるラベル（テープ（用紙））の位置（原点）が調整される。そして、Ｓ２０に進んで、「貼付領域１」における左右整列位置と上下整列位置に関する情報より、ラベル（テープ（用紙））中の既存オブジェクト（データ内容）を印刷領域に対して整列する。具体的には、「貼付領域１」における左右整列位置が「中央」で上下整列位置が「上」であるので、例えば、図１に示すように、「３ｃｍファイル背」のイメージ１０１の上に、「議事録」というデータ内容が書かれたテープ１０５が、「貼付領域１」の位置・大きさを示す貼付領域１０２に対して、左右整列位置の「中央」、上下整列位置の「上」をもって描画される。このとき、「３ｃｍファイル背」のイメージ１０１及び「議事録」というデータ内容が書かれたテープ１０５は、同じ倍率で描画される。
【００４５】
一方、ラベル（テープ（用紙））が貼付領域からはみ出ると判断される場合には（Ｓ１７：ＹＥＳ）、Ｓ１８に進んで、「貼付領域１」の左上とラベル（テープ（用紙））の左上が一致するように、「貼付領域１」におけるラベル（テープ（用紙））の位置（原点）が調整された後に、Ｓ２０に進む。尚、ここでは、上述したＳ１６において、「貼付領域１」の左右幅である２９．８（＝４６．１−１６．３）ｍｍ未満のラベル（テープ（用紙））の幅を選択しているので、ラベル（テープ（用紙））が貼付領域からはみ出ると判断されることはない。しかし、例えば、パソコン１には３６ｍｍの幅を持つラベル（テープ（用紙））専用のテープ印刷装置２しか接続されておらず、上述したＳ１６において、「貼付領域１」の左右幅である２９．８（＝４６．１−１６．３）ｍｍを超えた３６ｍｍの幅を持つラベル（テープ（用紙））を選択せざる得ない場合には、Ｓ１８に進むことになる。
【００４６】
そして、Ｓ２０を実行した後は、Ｓ１２に戻り、「３ｃｍファイル背」における「貼付領域２」について、上述した処理を繰り返す。この場合では、Ｓ２０において、例えば、図９に示すように、「３ｃｍファイル背」のイメージ１０１の上に、「議事録」というデータ内容が書かれたテープ１０７が、「貼付領域２」の位置・大きさを示す貼付領域１０６に対して、左右整列位置の「中央」、上下整列位置の「中央」をもって描画される。このとき、「３ｃｍファイル背」のイメージ１０１及び「議事録」というデータ内容が書かれたテープ１０７は、同じ倍率で描画される。そして、再びＳ１２に戻り、残り貼付領域がないと判断されると（Ｓ１２：ＮＯ）、図７のフローチャートに示す背景テーマの変更のプログラムを終了する。
【００４７】
次に、本実施の形態において、図１３の「ＶＨＳビデオカセット背」のイメージ１１４から図１２の「ＶＨＳビデオカセット背縦」のイメージ１１３に、又は、図１２の「ＶＨＳビデオカセット背縦」のイメージ１１３から図１２の「ＶＨＳビデオカセット背縦」のイメージ１１４に、選択された背景テーマを変更する手順について説明する。このような変更は、「ＶＨＳビデオカセット背」を縦方向として描画するか横方向に描画するかの変更であり、ひいては、ラベル（テープ（用紙））が貼付（使用）される向きを縦方向とするか横方向にするかの変更である。それには、図８のフローチャートに示す用紙の向きの変更のプログラムを実行する。先ず、Ｓ３１において、選択された背景テーマのテーブル情報を取得する。具体的には、選択された背景テーマについて、図４及び、図５、図６から、「全体」、「貼付領域数」、「対となるＩＤ」、「貼付領域１」、「貼付領域２」に関する情報を取得する。ここで、「貼付領域１」及び「貼付領域２」には、上述したように、用紙の向き、左右整列位置、上下整列位置などに関する情報が含まれる（図５と図６参照）。
【００４８】
次のＳ３２では、選択された背景テーマにおいて、「対となるＩＤ」が定義されているか否かについて判断する。ここで、「対となるＩＤ」が定義されていないと判断する場合には（Ｓ３２：ＮＯ）、何もすることなく、図８のフローチャートに示す用紙の向きの変更のプログラムを終了する。例えば、図４からすれば、選択された背景テーマが、「フロッピー（登録商標）ディスク」（図１０参照）や、「ＶＨＳビデオカセット」（図１１参照）、「３ｃｍファイル背」（図９及び図１４参照）のいずれかである場合には、「対となるＩＤ」が定義されていないので、図８のフローチャートに示す用紙の向きの変更のプログラムは終了される。一方、「対となるＩＤ」が定義されていると判断する場合には（Ｓ３２：ＹＥＳ）、Ｓ３３に進んで、「対となるＩＤ」が指定する背景テーマに変更され、当該背景テーマのテーブル情報を取得した後に、図８のフローチャートに示す用紙の向きの変更のプログラムを終了する。例えば、図４からすれば、選択された背景テーマが「ＶＨＳビデオカセット背」（図１３参照）である場合には、「ＶＨＳビデオカセット背縦」（図１２参照）を指定する「１１２」の「対となるＩＤ」が定義されているので、背景テーマが「ＶＨＳビデオカセット背縦」（図１２参照）に変更される。一方、選択された背景テーマが「ＶＨＳビデオカセット背縦」（図１２参照）である場合には、「ＶＨＳビデオカセット背」（図１３参照）を指定する「１１１」の「対となるＩＤ」が定義されているので、背景テーマが「ＶＨＳビデオカセット背」（図１３参照）に変更される。
【００４９】
以上詳細に説明したように、本実施の形態のパソコン１では、物体イメージ記憶部２７に記憶された物体の外観イメージデータ及び、テープ（用紙）が貼付される領域の位置・大きさ（矩形領域）を示す「貼付領域１」に関する情報、データ記憶部２５に記憶された文字・画像データ、Ｓ１６により選択されたラベル（テープ（用紙））の幅に基づいて、例えば、図１に示すように、「３ｃｍファイル背」のイメージ１０１及び、「議事録」というデータ内容、Ｓ１６により幅が選択されたラベル（テープ１０５（用紙））の輪郭を同じ倍率でディスプレイ１１に描画するとともに（Ｓ２０）、「３ｃｍファイル背」におけるラベル（テープ（用紙））の貼付バランスが考慮された左右整列位置及び上下整列位置に関する情報（図５参照）に基づいて、ラベル（テープ１０５（用紙））及び「議事録」というデータ内容を、「貼付領域１」の位置・大きさを示す貼付領域１０２に対して、 左右整列位置の「中央」及び上下整列位置の「上」をもってディスプレイ１１に描画するので（Ｓ１９）、「議事録」というデータ内容が印刷されたラベル（テープ１０５（用紙））が「３ｃｍファイル背」に貼付されたときの状況を、予めディスプレイ１１上で確認する際に、より自然な仕上がり状況にすることができる。
【００５０】
ここで、物体イメージ記憶部２７において、例えば、図５及び図６に示すように、「３ｃｍファイル背」に対し、テープ（用紙）が貼付される領域の位置・大きさ（矩形領域）を示す情報が、「貼付領域１」や「貼付領域２」として、複数記憶されている場合には、「貼付領域１」や「貼付領域２」における左右整列位置及び上下整列位置に関する情報は、「貼付領域１」や「貼付領域２」のそれぞれに対応させつつ、「３ｃｍファイル背」におけるラベル（テープ（用紙））の貼付バランスを考慮して定義されている。従って、描画制御部２３は、例えば、Ｓ１４で「貼付領域１」を取得する場合には、図１に示すように、ラベル（テープ１０５（用紙））及び「議事録」というデータ内容を、「貼付領域１」の位置・大きさを示す貼付領域１０２に対して、 左右整列位置の「中央」及び上下整列位置の「上」をもってディスプレイ１１に描画する一方（Ｓ１９）、Ｓ１４で「貼付領域２」を取得する場合には、図９に示すように、ラベル（テープ１０７（用紙））及び「議事録」というデータ内容を、「貼付領域２」の位置・大きさを示す貼付領域１０６に対して、 左右整列位置の「中央」及び上下整列位置の「中央」をもってディスプレイ１１に描画する。よって、「３ｃｍファイル背」においてテープ（用紙）が貼付される領域の位置・大きさ（矩形領域）を示す情報が、「貼付領域１」や「貼付領域２」として、複数存在するときでも、「議事録」というデータ内容が印刷されたラベル（テープ１０５、１０７（用紙））が「３ｃｍファイル背」に貼付されたときの状況を、「貼付領域１」又は「貼付領域２」に適したものにすることができる。
【００５１】
また、本実施の形態のパソコン１では、テープ幅記憶部２６にラベル（テープ（用紙））の幅が３６ｍｍ、２４ｍｍ、１８ｍｍ、１２ｍｍ、９ｍｍ、６ｍｍの６種類が記憶されているが、描画制御部２３は、Ｓ１６で選択された幅のラベル（テープ（用紙））が貼付領域からはみ出ないと判断された場合には（Ｓ１７：ＮＯ）、ラベル（テープ（用紙））及びデータ内容を、貼付領域に対して、 左右整列位置及び上下整列位置をもってディスプレイ１１に描画する一方（Ｓ１９、Ｓ２０）、Ｓ１６で選択された幅のラベル（テープ（用紙））が貼付領域からはみ出ると判断された場合には（Ｓ１７：ＹＥＳ）、貼付領域の左上とラベル（テープ（用紙））の左上が一致するようにして、ラベル（テープ（用紙））及びデータ内容をディスプレイ１１に描画するので（Ｓ１８、Ｓ２０）、Ｓ１６で選択されたラベル（テープ（用紙））の幅がいかなる場合でも、データ内容が印刷されたラベル（テープ（用紙））が貼付対象物体に貼付されたときの状況を、各ラベル（テープ（用紙））の幅に適したものにすることができる。
【００５２】
尚、本発明は上記実施の形態に限定されるものでなく、その趣旨を逸脱しない範囲で様々な変更が可能である。
例えば、本実施の形態では、複数の物体の外観イメージデータとして、「ＶＨＳビデオカセット背」のイメージ１１４（図１３参照）や、「ＶＨＳビデオカセット背縦」のイメージ１１３（図１２参照）、「３ｃｍファイル背」のイメージ１０１（図１や図９参照）について説明したが、それに加えて、「フロッピー（登録商標）ディスク」のイメージ１１１（図１０参照）や「ＶＨＳビデオカセット」のイメージ１１２（図１１参照）などについても、同様に行うことができる。
【００５３】
そして、このような場合には、物体イメージ記憶部２７において、複数の物体の外観イメージデータとして、「フロッピー（登録商標）ディスク」や、「ＶＨＳビデオカセット」、「ＶＨＳビデオカセット背」、「ＶＨＳビデオカセット背縦」、「３ｃｍファイル背」の貼付対象物体のイメージが記憶されており、さらに、「貼付領域１」や「貼付領域２」における左右整列位置及び上下整列位置に関する情報は（図５及び図６参照）、「貼付領域１」や「貼付領域２」のそれぞれに対応させつつ、各物貼付対象体の外観におけるラベル（テープ（用紙））の貼付バランスを考慮して定義されている。従って、描画制御部２３は、Ｓ１１で選択された背景テーマ（貼付対象物体の外観を含む）に対応した左右整列位置及び上下整列位置に関する情報をもって、ラベル（テープ（用紙））及びデータ内容を「貼付領域１」又は「貼付領域２」に対してディスプレイ１１に描画するので（Ｓ１９）、複数の貼付対象物体の外観イメージデータが複数存在するときでも、データ内容が印刷されたラベル（テープ（用紙））が貼付対象物体に貼付されたときの状況を、各貼付対象物体の外観に適したものにすることができる。
【００５４】
このとき、複数の物体の外観イメージデータには、「ＶＨＳビデオカセット背」のイメージ１１４（図１３参照）や「ＶＨＳビデオカセット背縦」のイメージ１１３（図１２参照）のように、同一の貼付対象物体（ＶＨＳビデオカセット背）の外観について向きが異なるもの（縦・横）が含まれているので、データ内容が印刷されたラベル（テープ（用紙））が「ＶＨＳビデオカセット背」のイメージ１１４（図１３参照）や「ＶＨＳビデオカセット背縦」のイメージ１１３（図１２参照）に貼付されたときの状況を、予めディスプレイ１１上で確認する際に、より自然な仕上がり状況にすることができる。
【００５５】
また、Ｓ１６で選択されたラベル（テープ（用紙））の幅をキーボード１２やマウス１３などで変更させてもよい。ラベル（テープ（用紙））の幅が変更されると、図７のＳ１７以後が実行される。すなわち、この場合であっても、描画制御部２３は、当該変更された幅のラベル（テープ（用紙））が貼付領域からはみ出ないと判断された場合には（Ｓ１７：ＮＯ）、ラベル（テープ（用紙））及びデータ内容を、貼付領域に対して、 左右整列位置及び上下整列位置をもってディスプレイ１１に描画する一方（Ｓ１９、Ｓ２０）、当該変更された幅のラベル（テープ（用紙））が貼付領域からはみ出ると判断された場合には（Ｓ１７：ＹＥＳ）、貼付領域の左上とラベル（テープ（用紙））の左上が一致するようにして、ラベル（テープ（用紙））及びデータ内容をディスプレイ１１に描画するので（Ｓ１８、Ｓ２０）、Ｓ１６で選択されたラベル（テープ（用紙））の幅がいかなる場合でも、データ内容が印刷されたラベル（テープ（用紙））が貼付対象物体に貼付されたときの状況を、各ラベル（テープ（用紙））の幅に適したものにすることができる。
【産業上の利用可能性】
【００５６】
データが印刷された印刷媒体が貼付対象物体に貼付されたときの状況を予めディスプレイ上で確認する際に、貼付対象物体や、印刷媒体のサイズ、印刷媒体の貼付箇所を変更する場合に適用できる。
【図面の簡単な説明】
【００５７】
【図１】本発明の一実施の形態によるディスプレイへの表示例を模式的に示す図である。
【図２】本発明の一実施の形態のデータ描画装置が具現化されたパソコン及びこれに接続されたテープ印刷装置の概略図である。
【図３】本発明の一実施形態にしたがった図２のパソコンのブロック図である。
【図４】本発明の一実施の形態の描画装置における物体の物体テーブルデータのテーブルを示した図である。
【図５】本発明の一実施の形態の描画装置における物体の物体テーブルデータのテーブルを示した図である。
【図６】本発明の一実施の形態の描画装置における物体の物体テーブルデータのテーブルを示した図である。
【図７】本発明の一実施の形態によるデータ描画の手順を説明するためのフローチャート図である。
【図８】本発明の一実施の形態によるデータ描画の手順を説明するためのフローチャート図である。
【図９】本発明の一実施の形態によるディスプレイへの表示例を模式的に示す図である。
【図１０】本発明の一実施の形態によるディスプレイへの表示例（物体の外観イメージデータ）を模式的に示す図である。
【図１１】本発明の一実施の形態によるディスプレイへの表示例（物体の外観イメージデータ）を模式的に示す図である。
【図１２】本発明の一実施の形態によるディスプレイへの表示例（物体の外観イメージデータ）を模式的に示す図である。
【図１３】本発明の一実施の形態によるディスプレイへの表示例（物体の外観イメージデータ）を模式的に示す図である。
【図１４】従来技術又は本発明の一実施の形態によるディスプレイへの表示例を模式的に示す図である。
【図１５】従来技術によるディスプレイへの表示例を模式的に示す図である。
【図１６】従来技術によるディスプレイへの表示例を模式的に示す図である。
【図１７】本発明の一実施の形態によるデータ描画の手順を説明するためのフローチャートである。
【符号の説明】
【００５８】
１      パソコン
２      テープ印刷装置
１０    パソコンの本体部
１１    ディスプレイ
１２    キーボード
１３    マウス
２２    入力制御部
２３    描画制御部
２４    印刷制御部
２５    データ記憶部
２６    テープ幅記憶部
２７    物体イメージ記憶部
【図１】
2005056298.tif 000003
【図２】
2005056298.tif 000004
【図３】
2005056298.tif 000005
【図４】
2005056298.tif 000006
【図５】
2005056298.tif 000007
【図６】
2005056298.tif 000008
【図７】
2005056298.tif 000009
【図８】
2005056298.tif 000010
【図９】
2005056298.tif 000011
【図１０】
2005056298.tif 000012
【図１１】
2005056298.tif 000013
【図１２】
2005056298.tif 000014
【図１３】
2005056298.tif 000015
【図１４】
2005056298.tif 000016
【図１５】
2005056298.tif 000017
【図１６】
2005056298.tif 000018
【図１７】
2005056298.tif 000019